(57)【要約】【課題】ハウジングに対してリテーナが傾くのを確実に防止する。【解決手段】コネクタは、ハウジング１０と、ハウジング１０内に挿入される端子金具３０と、ハウジング１０に対し端子金具３０の挿入方向と交差する方向に取り付けられることで端子金具３０を抜止めするリテーナ２０と、リテーナ２０におけるハウジング１０への取付け方向基端部に形成され、ハウジング１０に係止することでリテーナ２０をハウジング１０への取付け状態に保持する一対の弾性ロック片２５と、リテーナ２０におけるハウジング１０への取付け方向先端側に形成され、リテーナ２０の取付け方向と平行に延びる摺接部２８と、ハウジング１０に形成され、リテーナ２０の取付け方向と平行に延びて摺接部２８を摺接させるガイド部１６とを備える。【選択図】図１
2015026537.tif 000002
【特許請求の範囲】
【請求項１】
ハウジングと、
前記ハウジング内に挿入される端子金具と、
前記ハウジングに対し前記端子金具の挿入方向と交差する方向に取り付けられることで前記端子金具を抜止めするリテーナと、
前記リテーナにおける前記ハウジングへの取付け方向基端部に形成され、前記ハウジングに係止することで前記リテーナを前記ハウジングへの取付け状態に保持する一対の弾性ロック片と、
前記リテーナにおける前記ハウジングへの取付け方向先端側に形成され、前記リテーナの取付け方向と平行に延びる摺接部と、
前記ハウジングに形成され、前記リテーナの取付け方向と平行に延びて前記摺接部を摺接させるガイド部とを備えていることを特徴とするコネクタ。
【請求項２】
前記リテーナは、前記端子金具に係止する抜止部が形成された本体部と、前記本体部における取付け方向基端部から取付け方向と交差する方向へ片持ち状に延出する操作部とを有し、
前記一対の弾性ロック片が、前記操作部から取付け方向と略平行に片持ち状に延出した形態とされていることを特徴とする請求項１記載のコネクタ。
【請求項３】
前記リテーナは、前記端子金具に係止する抜止部が形成された本体部と、前記本体部における取付け方向基端部から取付け方向と交差する方向へ片持ち状に延出する操作部とを有し、
前記摺接部が、前記本体部からリブ状に突出した形態であり、且つ前記摺接部の突出方向が前記操作部の延出方向と同じ方向であることを特徴とする請求項１又は請求項２記載のコネクタ。
【発明の詳細な説明】
【技術分野】
【０００１】
本発明は、コネクタに関するものである。
【背景技術】
【０００２】
特許文献１には、ハウジング内に端子金具を挿入し、ハウジング内に取り付けたリテーナによって端子金具を抜止めするコネクタが開示されている。リテーナは、ハウジングへの取付け方向と交差する方向に間隔を空けた一対の弾性撓み可能な保持片を有している。この保持片をハウジングに係止することにより、リテーナがハウジングに対して取り付け状態に保持される。また、このコネクタは、リテーナがハウジングに対してがたつくのを防止する手段として、２つの嵌合手段が設けられている。一方の嵌合手段は、ハウジングに対するリテーナの取付け方向基端部に配されて、ハウジングに嵌合されている。他方の嵌合手段は、ハウジングに対するリテーナの取付け方向先端部に配されて、ハウジングに嵌合されている。
【先行技術文献】
【特許文献】
【０００３】
【特許文献１】特開２００５−１２３０７８号公報
【発明の概要】
【発明が解決しようとする課題】
【０００４】
上記２つの嵌合手段のうちハウジングに対する取付け方向先端部の嵌合手段は、一対の保持片で構成されている。この一対の保持片は、弾性撓みが可能であるため、リテーナをハウジングに取り付ける過程で、リテーナが傾きを生じる虞がある。リテーナが傾くと、保持片が正しくハウジングに係止できなくなることが懸念される。
本発明は上記のような事情に基づいて完成されたものであって、ハウジングに対してリテーナが傾くのを確実に防止することを目的とする。
【課題を解決するための手段】
【０００５】
本発明のコネクタは、
ハウジングと、
前記ハウジング内に挿入される端子金具と、
前記ハウジングに対し前記端子金具の挿入方向と交差する方向に取り付けられることで前記端子金具を抜止めするリテーナと、
前記リテーナにおける前記ハウジングへの取付け方向基端部に形成され、前記ハウジングに係止することで前記リテーナを前記ハウジングへの取付け状態に保持する一対の弾性ロック片と、
前記リテーナにおける前記ハウジングへの取付け方向先端側に形成され、前記リテーナの取付け方向と平行に延びる摺接部と、
前記ハウジングに形成され、前記リテーナの取付け方向と平行に延びて前記摺接部を摺接させるガイド部とを備えているところに特徴を有する。
【発明の効果】
【０００６】
この構成によれば、リテーナをハウジングに取り付ける過程では、取付け方向に沿って延びた摺接部がガイド部に摺接することにより、リテーナの傾きが防止される。これにより、リテーナの傾きに起因して弾性ロック片とハウジングが正しく係止されなくなる、という事態を回避できる。また、摺接部と弾性ロック片を、取付け方向において互いに異なる位置に配したので、摺接部と弾性ロック片を形成するに際して設計の自由度が高い。
【図面の簡単な説明】
【０００７】
【図１】実施例１においてリテーナが本係止位置に取り付けられた状態をあらわすコネクタの背面図
【図２】図１のＡ−Ａ線断面図
【図３】図１のＢ−Ｂ線断面図
【図４】リテーナが仮係止位置に取り付けられた状態をあらわすコネクタの背面図
【図５】図４のＣ−Ｃ線断面図
【図６】リテーナの背面図
【図７】リテーナの平面図
【発明を実施するための形態】
【０００８】
（１）本発明のコネクタは、
前記リテーナは、前記端子金具に係止する抜止部が形成された本体部と、前記本体部における取付け方向基端部から取付け方向と交差する方向へ片持ち状に延出する操作部とを有し、
前記一対の弾性ロック片が、前記操作部から取付け方向と略平行に片持ち状に延出した形態とされていてもよい。
この構成によれば、リテーナの取付け過程で弾性ロック片がハウジングに係止するときに、操作部を正しい向きに押し操作すれば、弾性ロック片は、正しい向きに保たれて確実にハウジングに係止される。
【０００９】
（２）本発明のコネクタは、
前記リテーナは、前記端子金具に係止する抜止部が形成された本体部と、前記本体部における取付け方向基端部から取付け方向と交差する方向へ片持ち状に延出する操作部とを有し、
前記摺接部が、前記本体部からリブ状に突出した形態であり、且つ前記摺接部の突出方向が前記操作部の延出方向と同じ方向であってもよい。
この構成によれば、操作部と摺接部が本体部から同じ側へ延出しているので、操作部と摺接部が本体部を挟んで互いに反対側へ延出する場合に比べると、リテーナの小型化を図ることができる。
【００１０】
＜実施例１＞
以下、本発明を具体化した実施例１を図１〜図７を参照して説明する。本実施例のコネクタは、合成樹脂製のハウジング１０と、複数の端子金具３０と、合成樹脂製のリテーナ２０とを組み付けて構成されている。
【００１１】
図３に示すように、ハウジング１０の内部には、複数の端子収容室１１が、上下二段に分かれて形成されている。各端子収容室１１内には、夫々、ハウジング１０の後方（図３における右方）から端子金具３０が挿入されてランス１８の係止作用により抜止めされている。また、端子収容室１１に挿入された端子金具３０は、後述するリテーナ２０の係止作用によっても抜止めされている。
【００１２】
図２及び図５に示すように、ハウジング１０の内部には、その左右両側面に開口する取付孔１２が形成されている。ハウジング１０の右側面における取付孔１２の開口領域は、ハウジング１０の左側面における取付孔１２の開口領域よりも大きい。取付孔１２は、上下両端部が端子収容室１１に連通する第１室１３と、第１室１３よりも高さ寸法の小さい第２室１４と、第２室１４とほぼ同じ高さの第３室１５とから構成されている。第１室１３は、左右方向に細長く延びていて、ハウジング１０の右側面から左側面まで連通している。第１室１３の断面形状、即ちハウジング１０の左右両側面における開口形状は、縦長の方形である。第１室１３内には、リテーナ２０の本体部２１と抜止部２２が収容されるようになっている。
【００１３】
第２室１４は、第１室１３の後面に連通し、左右方向に細長く延びている。第２室１４の右端はハウジング１０の右側面に開口し、第２室１４の左端は、ハウジング１０の外壁部で閉塞されている。図３に示すように、第２室１４の断面形状、即ちハウジング１０の右側面における開口形状は、縦長の方形である。第１室１３の高さ方向中心と第２室１４の高さ方向中心は、同じ高さとなっている。第２室１４の上面は、上段の端子収容室１１の底壁部によって構成され、第２室１４の下面は、下段の端子収容室１１の上壁部によって構成されている。この第２室１４の上面と下面は、上下一対のガイド部１６として機能する。ガイド部１６は、左右方向（即ち、ハウジング１０に対するリテーナ２０の取り付け方向と平行な方向）に直線状に延びた形態である。第２室１４には、リテーナ２０の摺接部２８が収容されるようになっている。
【００１４】
第３室１５の左右方向における形成領域は、ハウジング１０の右側の端部のみに限定されている。第３室１５は、第２室１４の後面に連通し、ハウジング１０の右側面に開口している。第３室１５内には、図５に示すように、リテーナ２０の操作部２３と弾性ロック片２５が収容されるようになっている。第３室１５の上面と下面には、夫々、図１に示すように、左右に間隔を空けた一対ずつの係止突起１７Ｌ，１７Ｒが形成されている。上面側の係止突起１７Ｌ，１７Ｒと下面側の係止突起１７Ｌ，１７Ｒは、上下対称な形態である。
【００１５】
リテーナ２０は、図１，２に示すように、ハウジング１０に対するリテーナ２０の取付け方向（以下、「取付け方向」という）と平行な方向である左右方向に細長く延びた形態の本体部２１を有している。図６に示すように、本体部２１の上面には、上方へ突出する複数の抜止部２２が、端子収容室１１と対応するように左右に間隔を空けて形成されている。本体部２１の下面にも、下方へ突出する複数の抜止部２２が、端子収容室１１と対応するように左右に間隔を空けて形成されている。
【００１６】
図６，７に示すように、本体部２１の右端部には、後方（つまり、リテーナ２０の取付け方向と略直角に交差する方向）へ片持ち状に延出した形態の操作部２３が形成されている。操作部２３は、方形の板状をなし、操作部２３の右側面は、リテーナ２０をハウジング１０に取りつける際に作業者が押し操作するための平坦な操作面２４となっている。この操作面２４を形成したことにより、リテーナ２０をハウジング１０に取り付ける際の作業性が良好となっている。
【００１７】
リテーナ２０の取付け方向における基端部には、リテーナ２０をハウジング１０に対して取付け状態に保持するためのロック手段として、上下一対の弾性ロック片２５が配されている。一対の弾性ロック片２５は、上下方向（即ち、リテーナ２０の取付け方向と直角に交差する方向であり、且つハウジング１０に対する端子金具３０の挿入方向と直角に交差する方向）に間隔を空けている。この両弾性ロック片２５の間の空間は、弾性ロック片２５がリテーナ２０の取付け過程で弾性撓みするための撓み空間２６となっている。弾性ロック片２５は、操作部２３の左側面から左方へ片持ち状に延出した形態である。弾性ロック片２５の延出方向は、リテーナ２０の取付け方向と同じ方向（略平行な方向）である。弾性ロック片２５の延出端部には、撓み空間２６とは反対側へ突出した形態のロック突起２７が形成されている。
【００１８】
リテーナ２０における取付け方向先端側の領域には、上下一対の摺接部２８が形成されている。摺接部２８は、本体部２１の後面から後方へリブ状に突出した形態であり、左右方向（つまり、リテーナ２０の取付け方向と平行な方向）に直線状に延びた形態である。左右方向における摺接部２８の形成領域は、リテーナ２０（本体部２１）の左端に近い位置から、リテーナ２０（本体部２１）の長さ方向略中央位置に至る範囲である。摺接部２８の本体部２１からの延出方向は、操作部２３の本体部２１からの延出方向と同じ方向となっている。
【００１９】
次に、本実施例の作用を説明する。ハウジング１０に端子金具３０を取り付ける際には、予め、リテーナ２０をハウジング１０に対して仮係止位置に取り付けておく。取り付けに際しては、本体部２１の左端部を先に向けて、ハウジング１０の右方からリテーナ２０を取付孔１２内に差し込む。このとき、本体部２１と抜止部２２を第１室１３に嵌入し、上下一対の摺接部２８を第２室１４に嵌入する。そして、操作面２４を押し操作することにより、リテーナ２０の取付け工程を進めていく。
【００２０】
図４に示すように、リテーナ２０の取付け過程では、上側の摺接部２８の上面が上側のガイド部１６に摺接するとともに、下側の摺接部２８の下面が下側のガイド部１６に摺接することにより、リテーナ２０は、ハウジング１０に対する上下方向への相対変位、及びハウジング１０に対する上下方向への傾きが規制される。したがって、リテーナ２０は、正しい姿勢を保ったままで平行移動する。また、操作面２４が形成されている操作部２３は、本体部２１から後方へ片持ち状に延出した形態であるため、操作面２４に付与した左向きの押圧力によってリテーナ２０が前後方向へ傾くことが懸念される。しかし、本体部２１が第１室１３の前後両面に摺接するので、リテーナ２０が前後に傾く虞はない。
【００２１】
そして、リテーナ２０の取付けが進むと、操作部２３と弾性ロック片２５が第３室１５内に進入する。リテーナ２０が仮係止位置に近づくと、上下両弾性ロック片２５のロック突起２７が係止突起１７Ｌ，１７Ｒと干渉し、両弾性ロック片２５が、撓み空間２６内に進入して互いに接近するように弾性撓みする。そして、リテーナ２０が仮係止位置に到達すると、図４に示すように、両弾性ロック片２５が弾性復帰してロック突起２７が左右に隣り合う係止突起１７Ｌ，１７Ｒの間に嵌合する。このロック突起２７と係止突起１７Ｌ，１７Ｒの係止作用により、リテーナ２０は、仮係止位置において左右方向への相対変位を規制された状態に保持される。
【００２２】
リテーナ２０が仮係止位置にある状態では、抜止部２２が、端子金具３０に対して右方へ外れた非対応位置にある。したがって、各端子収容室１１には、端子金具３０を挿入することができる。全ての端子収容室１１に端子金具３０を挿入した後は、操作面２４に係止突起１７Ｌ，１７Ｒとロック突起２７の係止力を上回る押し操作力を付与する。すると、弾性ロック片２５が弾性撓みし、リテーナ２０は仮係止位置から本係止位置へ移動する。リテーナ２０が本係止位置に移動すると、図１に示すように、ロック突起２７が左側の係止突起１７Ｌに対して左側から係止し、この係止作用によりリテーナ２０が本係止位置に保持される。
【００２３】
リテーナ２０が本係止位置にある状態では、抜止部２２が端子金具３０の角筒部３１に対して後方から係止するので、この係止作用により、端子金具３０が抜止めされる。したがって、端子金具３０は、ランス１８による一次係止作用と、リテーナ２０による二次係止作用とにより、確実に抜止めされた状態に保持される。また、リテーナ２０が仮係止位置から本係止位置へ移動するときにも、摺接部２８がガイド部１６に摺接するので、リテーナ２０の上下への傾きが規制されている。
【００２４】
本実施例のコネクタは、ハウジング１０に対し端子金具３０の挿入方向と交差する方向に取り付けられることで端子金具３０を抜止めするリテーナ２０を備えている。リテーナ２０におけるハウジング１０への取付け方向基端部には、ハウジング１０に係止することでリテーナ２０をハウジング１０への取付け状態に保持する一対の弾性ロック片２５が形成されている。また、リテーナ２０における取付け方向先端側には、リテーナ２０の取付け方向と平行に延びる摺接部２８が形成されている。一方、ハウジング１０には、リテーナ２０の取付け方向と平行に延びて摺接部２８を摺接させるガイド部１６が形成されている。
【００２５】
この構成によれば、リテーナ２０をハウジング１０に取り付ける過程では、取付け方向に沿って延びた摺接部２８がガイド部１６に摺接することにより、リテーナ２０の上下方向への傾きが確実に規制されている。このリテーナ２０が傾き規制される方向は、一対の弾性ロック片２５が間隔を空けて並ぶ方向と平行な方向である。したがって、本実施例のコネクタによれば、リテーナ２０の傾きに起因して弾性ロック片２５とハウジング１０が正しく係止されなくなる、という事態を回避できる。また、摺接部２８と弾性ロック片２５を、取付け方向において互いに異なる位置（リテーナ２０の取付け方向における先端側と基端部）に分けて配置したので、摺接部２８と弾性ロック片２５を形成するに際して設計の自由度が高い。
【００２６】
また、リテーナ２０は、端子金具３０に係止する抜止部２２が形成された本体部２１と、本体部２１における取付け方向基端部から取付け方向と交差する方向（後方）へ片持ち状に延出した形態の操作部２３とを有している。そして、一対の弾性ロック片２５は、操作部２３から取付け方向と略平行に片持ち状に延出した形態となっている。この構成によれば、リテーナ２０の取付け過程で弾性ロック片２５がハウジング１０に係止するときに、操作部２３を正しい向きに押し操作すれば、弾性ロック片２５は、正しい向きに保たれる。したがって、一対の弾性ロック片２５を確実にハウジング１０の係止突起１７Ｌ，１７Ｒに係止させることができる。
【００２７】
また、リテーナ２０の摺接部２８は、本体部２１からリブ状に突出した形態であり、且つ摺接部２８の突出方向が操作部２３の延出方向と同じ方向となっている。つまり、操作部２３と摺接部２８が本体部２１から同じ側へ延出している。したがって、本実施例のコネクタは、操作部２３と摺接部２８が本体部２１を挟んで互いに反対側へ延出するもの比べると、リテーナ２０の小型化を図ることができる。
【００２８】
＜他の実施例＞
本発明は上記記述及び図面によって説明した実施例に限定されるものではなく、例えば次のような実施例も本発明の技術的範囲に含まれる。
（１）上記実施例では、摺接部をリブ状に突出した形態とし、ガイド部を溝状に凹んだ形態としたが、これとは逆に、摺接部を溝状に凹んだ形態とし、ガイド部をリブ状に突出した形態としてもよい。
（２）上記実施例では、摺接部を２本設けたが、摺接部の数は、１本だけでもよく、３本以上であってもよい。
（３）上記実施例では、リテーナの取付け方向と交差する操作部を形成した上で、弾性ロック片を操作部から延出する形態としたが、弾性ロック片は、操作部とは異なる位置から突出する形態であってもよい。
（４）上記実施例では、操作部を本体部から片持ち状に延出する形態としたが、操作部は、本体部の厚さ又は高さの範囲内で形成されていてもよい。
（５）上記実施例では、操作部と摺接部が本体部から同じ側へ延出するようにしたが、操作部と摺接部は、本体部を挟んで互いに反対側へ延出した形態であってもよい。
【符号の説明】
【００２９】
１０…ハウジング
１６…ガイド部
２０…リテーナ
２１…本体部
２２…抜止部
２３…操作部
２５…弾性ロック片
２８…摺接部
３０…端子金具
【図１】
2015026537.tif 000003
【図２】
2015026537.tif 000004
【図３】
2015026537.tif 000005
【図４】
2015026537.tif 000006
【図５】
2015026537.tif 000007
【図６】
2015026537.tif 000008
【図７】
2015026537.tif 000009